(57)【特許請求の範囲】
【請求項１】
水平方向に湾曲した湾曲部と上部開口を有する有底の筒状体であるグラス本体と、
映像表示装置を前記グラス本体に固定する固定機構と、
前記映像表示装置の画像の縦横比を変更する画像縦横比制御部と
を備えており、
前記画像縦横比制御部が前記グラス本体内部の飲料により生じる前記画像の水平方向の拡大を相殺することを特徴とする飲料用演出グラス。
【請求項２】
前記画像縦横比制御部としてレンズを備え、
前記レンズは水平方向の曲率半径が垂直方向の曲率半径に比して大きいことを特徴とする請求項1に記載の飲料用演出グラス。
【請求項３】
前記レンズと前記映像表示装置との間の距離を調整するレンズ距離調整機構を備えることを特徴とする請求項2に記載の飲料用演出グラス。
【請求項４】
前記レンズは水平方向の曲率半径が無限大であることを特徴とする請求項2に記載の飲料用演出グラス。
【請求項５】
前記レンズはマイナスレンズであり前記映像表示装置の画像を水平方向に縮小することを特徴とする請求項2に記載の飲料用演出グラス。
【請求項６】
前記画像縦横比制御部として画像を水平方向に圧縮したスクィーズ画像を生成するスクィーズ画像生成器を備えることを特徴とする請求項１に記載の飲料用演出グラス。
【請求項７】
前記映像表示装置が携帯型通信装置の一部であり、
前記スクィーズ画像生成器が前記携帯型通信装置に内蔵されているコンピュータソフトウェアであることを特徴とする請求項6に記載の飲料用演出グラス。
【請求項８】
前記固定機構として前記映像表示装置を格納する格納部を前記グラス本体の内部に備えることを特徴とする請求項1〜7のいずれか一項に記載の飲料用演出グラス。
【請求項９】
前記上部開口を塞ぐための蓋を備えることを特徴とする請求項1〜8のいずれか一項に記載の飲料用演出グラス。
【請求項１０】
請求項7に記載の飲料用演出グラスと、
前記携帯型通信装置と、
外部のサーバーコンピュータと、
ユーザー操作検知部とを備え、
前記ユーザー操作検知部は前記携帯型通信装置の加速度センサー又はカメラセンサーの出力データに基づいてユーザーが前記グラス本体を移動、傾斜又は他物体へ衝突（以後、「ユーザー操作」という。）させたことを検知し、出力信号を前記外部のサーバーコンピュータに送信し、
前記外部のサーバーコンピュータは前記出力信号を受信し、その受信回数をカウントして乾杯操作累計数として記録し、ユーザーが前記乾杯操作累計数を閲覧出来ることを特徴とする遠隔地乾杯カウンターシステム。
【請求項１１】
請求項6〜7のいずれか一項に記載の飲料用演出グラスで用いるコンピュータプログラムを保存した記憶媒体であり、
前記コンピュータプログラムが映像表示装置に出力する画像を水平方向に圧縮処理したスクィーズ画像を生成するものであることを特徴とする記憶媒体。
【発明の詳細な説明】
【技術分野】
【０００１】  本発明は、飲料用容器の内部の水又は飲料のレンズ効果による歪みをキャンセルした画像を映すための飲料用演出グラスに関する。
【背景技術】
【０００２】  飲料を入れる機能以外に様々な機能を持ったグラスが開発されている。
例えば特許文献１〜３には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献４には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
【先行技術文献】
【特許文献】
【０００３】
【特許文献１】特許第６３３７２５６号
【特許文献２】特許第６４０６７４２号
【特許文献３】特許第６４３２９６０号
【特許文献４】特許第６４８８０４９号
【発明の概要】
【発明が解決しようとする課題】
【０００４】  しかし、上記特許文献１〜４の飲料用演出グラスも含めて通常のコップやビールジョッキは円筒形又は円筒形に近い形状であり側面が必ず水平方向に湾曲しているため、ユーザーが飲料用容器の内部の飲料越しに飲料用容器の内部や側面から投影される画像を見ると必ず水平方向に拡大された画像に歪んでしまう。【０００５】  本発明は上記問題を鑑み、グラス内の飲料越しに見る映像が水平方向又は横方向のみに拡大して歪まないように映像の水平方向への歪みをキャンセルする機構を組み込んだ飲料用演出グラスを提供することを課題とする。
また、その飲料用演出グラスを用いた遠隔地乾杯カウンターシステムおよび、その飲料用演出グラスに使用するプログラムを収録した記憶媒体を提供することを課題とする。
【課題を解決するための手段】
【０００６】
本発明の飲料用演出グラスは、水平方向に湾曲した湾曲部と上部開口を有する有底の筒状体であるグラス本体と、映像表示装置を前記グラス本体に固定する固定機構と、前記映像表示装置の画像の縦横比を変更する画像縦横比制御部とを備えており、前記画像縦横比制御部が前記グラス本体内部の飲料により生じる前記画像の水平方向の拡大を相殺することを特徴とする。
また、前記画像縦横比制御部としてレンズを備え、前記レンズは水平方向の曲率半径が垂直方向の曲率半径に比して大きいことを特徴とする。
また、前記レンズと前記映像表示装置との間の距離を調整するレンズ距離調整機構を備えることを特徴とする。
また、前記レンズは水平方向の曲率半径が無限大であることを特徴とする。
また、前記レンズはマイナスレンズであり前記映像表示装置の画像を水平方向に縮小することを特徴とする。
また、前記画像縦横比制御部として画像を水平方向に圧縮したスクィーズ画像を生成するスクィーズ画像生成器を備えることを特徴とする。
また、前記映像表示装置が携帯型通信装置の一部であり、前記スクィーズ画像生成器が前記携帯型通信装置に内蔵されているコンピュータソフトウェアであることを特徴とする。
また、前記固定機構として前記映像表示装置を格納する格納部を前記グラス本体の内部に備えることを特徴とする。
また、前記上部開口を塞ぐための蓋を備えることを特徴とする。
本発明の遠隔地乾杯カウンターシステムは、上記飲料用演出グラスと、上記携帯型通信装置と、外部のサーバーコンピュータと、ユーザー操作検知部とを備え、前記ユーザー操作検知部は前記携帯型通信装置の加速度センサー又はカメラセンサーの出力データに基づいてユーザーが前記グラス本体を移動、傾斜又は他物体へ衝突（以後、「ユーザー操作」という。）させたことを検知し、出力信号を前記外部のサーバーコンピュータに送信し、前記外部のサーバーコンピュータは前記出力信号を受信し、その受信回数をカウントして乾杯操作累計数として記録し、ユーザーが前記乾杯操作累計数を閲覧出来ることを特徴とする。
本発明の記録媒体は、上記飲料用演出グラスで用いるコンピュータプログラムを保存した記憶媒体であり、前記コンピュータプログラムが上記映像表示装置に出力する画像を水平方向に圧縮処理したスクィーズ画像を生成するものであることを特徴とする。
【発明の効果】
【０００７】  本発明の飲料用演出グラスは、グラス、コップ又はビールジョッキ等の円筒形又は円筒形に近い形状の全ての飲料用容器で機能し、飲料用容器内部の円筒形の形状の飲料（液体）の水平方向へのレンズ効果をキャンセルする事が可能である。そのため本発明の飲料用演出グラスを用いれば飲料用容器の側面又は内部に固定された映像表示装置の画像を縦横比（英：ａｓｐｅｃｔ  ｒａｔｉｏ）を維持したまま飲料用容器内部の飲料越しに見ることが可能である。これは文字が含まれる映像や画像の場合は特に顕著な効果を表す。
映像表示装置を固定する固定機構があるためグラス移動時や乾杯時又はグラス傾斜時でもグラス側面の映像表示装置が脱落する事が無い。
本発明の飲料用演出グラスは画像縦横比制御部として画像を水平方向に圧縮したスクィーズ画像を生成するスクィーズ画像生成器を備えるので水平方向への圧縮した画像の余白が発生する。そのためこの余白に他のスクィーズ画像を挿入すれば水平方向に２画面分以上の映像や画像を飲料用容器越しに投影出来る。なおスクィーズ画像生成器は携帯型通信装置に内蔵されているコンピュータソフトウェアとして実装した場合はその携帯型通信装置の画像を縦横比（英：ａｓｐｅｃｔ  ｒａｔｉｏ）を維持したまま飲料用容器内部の飲料越しに見る事が可能である。
本発明の飲料用演出グラスを用いれば様々な形状の飲料用容器で遠隔地乾杯回数を集計して表示する遠隔地乾杯カウンターシステムを構築出来る。
【図面の簡単な説明】
【０００８】
【図１】第１の実施の形態の飲料用演出グラスを示す斜視図
【図２】飲料用容器内のみを透過した画像が水平方向へのみ拡大する原理を示した図
【図３】画像縦横比制御部として用いるレンズを示した図
【図４】映像表装置とレンズの距離を可変にした飲料用演出グラスを示す斜視図
【図５】レンズがマイナスレンズである料用演出グラスの例を示す斜視図
【図６】様々な形状の飲料用演出グラスの例を示す斜視図（ａ）及び（ｂ）
【図７】第２の実施の形態の飲料用演出グラスを示す斜視図
【図８】スクィーズ画像生成器の処理フロー図
【図９】画像の縦横方向圧縮処理プログラムのフローチャート図
【図１０】遠隔地乾杯カウンターシステムの構成を示す図
【発明を実施するための形態】
【０００９】［飲料用演出グラスの第１の実施の形態］
以下、本発明の飲料用演出グラスの第１の実施の形態を図面を用いて示す。
図１に示すように、飲料用演出グラス１は水平方向に湾曲した湾曲部１３と上部開口１１を有する有底の筒状体であるグラス本体１０と、映像表示装置８０をグラス本体１０に固定する固定機構１４と、映像表示装置８０の画像８２の縦横比を変更する画像縦横比制御部２０とから概略構成される。
固定機構１４は映像表示装置８０をグラス本体１０に固定するための固定機構であり、図１では上部開口１１の端部を挟むクランプ機構１５とコの字状の係止金具１８を設けた固定フレーム１７とを組み合わせた物を用いている。固定機構１４は映像表示装置８０をグラス本体１０に固定さえ出来ればどのような種類の固定機構を用いても良く、固定機構１４はネジ機構や吸盤等を組み合わせた物を用いても良い。固定機構１４の材料は特に制限は無いが映像表示装置８０の映像表示面８１を遮らないために透明の材料が望ましい。
画像縦横比制御部２０は映像表示装置８０の画像８２が飲料用演出グラス１の内部の円筒形の飲料Ｌを透過することにより水平方向にのみ拡大して歪んでしまうのを防止するために設けられている。なお、図１の例では画像縦横比制御部２０として光学的なレンズ２１を用いている。レンズ２１は垂直方向（または縦方向）にのみ像を拡大するように加工されており画像８２はレンズ２１を透過することにより図１の画像８３のように垂直方向にのみ拡大される。画像８２がレンズ２１を経由して飲料Ｌを透過することにより水平方向（または横方向）にのみ拡大して歪んでしまうのを防止している（つまりレンズ２１を用いて垂直方向に拡大した画像８３を生成することにより画像８２と飲料用演出グラス１を透過した画像８４の縦横比が同じになるようにしている）。レンズ２１の材質としては透明なガラス、アクリル等が考えられる。図１の例ではレンズ２１は映像表示装置８０と飲料用演出グラス１との間の位置に配置しているがレンズ２１の配置位置は映像表示装置８０の画像８２が投影出来る位置なら特に制限は無い。なお、画像縦横比制御部２０を実現する方法は図１のレンズ２１のような光学レンズを用いたアナログ的な手法だけでなく映像スクィーズ圧縮ソフトウェアを応用したデジタル的な手法も考えられる。詳細は後述の他の実施の形熊にて説明する。
なお、本発明の飲料用演出グラス１を固定する飲料用演出グラス１は通常のビールジョッキと同じ有底の筒状体を想定している。飲料用演出グラス１は図１のように取っ手１２を備えていないコップ形状でも良い。
【００１０】  レンズ２１の詳細を説明するために、まず初めに飲料用容器の液体や飲料による水平方向へのレンズ効果の説明をする。
通常のビールジョッキやコップと同じく、水平方向に湾曲した湾曲部１３を備える有底の筒状体である飲料用演出グラス１（又はグラス本体１０）の内部の飲料Ｌの形状は必然的に図１や図２のように円筒形又はほぼ円筒形になる。円筒形は垂直方向には湾曲していないため図２のように飲料Ｌの垂直方向の曲率半径ＲＶは無限大と見做せる。一方、飲料Ｌは水平方向に円形に湾曲しているため水平方向の曲率半径ＲＨは必ず有限の値になる（通常の大きさのグラスの場合、飲料Ｌの曲率半径ＲＨは数［ｃｍ］〜１０［ｃｍ］程度）。つまり飲料Ｌの垂直方向の曲率半径ＲＶが水平方向の曲率半径ＲＨに比して非常に大きくなる。光学レンズの拡大率はレンズの曲率半径が小さいほど大きくなることが知られており（詳細はレンズ公式や光学分野の専門書を参照して下さい）、更に水の光の屈折率は空気に比して大きいため飲料用演出グラス１の内部の飲料Ｌのみを透過した画像８５は図２のように水平方向にのみ拡大して大きく歪んでしまう（別の言い方をすれば飲料Ｌが水平方向へのみ拡大するレンズとして動作するため画像が歪む）。
画像縦横比制御部２０として用いるレンズ２１は図３のような垂直方向の画像の拡大率が水平方向の画像の拡大率よりも大きいレンズ、つまり水平方向の曲率半径ＲＨが垂直方向の曲率半径ＲＶに比して大きい両凸レンズ（又は平凸レンズ）である。そのためレンズ２１を映像表示装置８０と飲料用演出グラス１の間に配置することにより飲料Ｌによる水平方向へのレンズ効果を相殺することが出来る。つまり適当な垂直方向の画像の拡大率を持つレンズ２１を用いれば図１のように水平方向にも垂直方向にも等しく拡大した歪みの無い画像８４をユーザーＵは飲料越しに視認出来る。
レンズ２１に関して非常に重要な注意点が一つあり、それはレンズ２１には水平方向の曲率半径ＲＨと垂直方向の曲率半径ＲＶが等しい通常のレンズを用いてはいけないという事である。何故なら水平方向と垂直方向の拡大率が等しい通常のレンズでは画像８２の縦横比が変更出来ないため飲料Ｌの水平方向の歪みをキャンセルする事が原理的に不可能だからである。そのためレンズ２１は必ず水平方向の曲率半径ＲＨが垂直方向の曲率半径ＲＶに比して大きいレンズ（つまり垂直方向の画像の拡大率が水平方向の画像の拡大率よりも大きい特殊なレンズ）を用いる必要がある。極端な話、レンズ２１は垂直方向にのみ拡大するレンズ、つまり水平方向の曲率半径ＲＨが無限大のレンズを用いても構わない。
【００１１】  虫眼鏡の原理からも分かるように一般に光学レンズと物体との間の距離が大きい程その物体の拡大率は大きくなる（詳細はレンズ公式や光学分野の専門書を参照して下さい）。そのため図４のように映像表示装置８０とレンズ２１の間の距離ｄを調整するレンズ距離調整機構２３を飲料用演出グラス１に設けることにより垂直方向の画像８４の拡大率をコントロール出来る。レンズ距離調整機構２３を用いることによりユーザーＵは飲料Ｌのレンズ効果の歪みを相殺する最適な距離ｄ（つまり垂直方向の拡大率）を見つけることが出来る。また、レンズ距離調整機構２３を用いることによりユーザーＵは飲料用演出グラス１の直径や飲料Ｌの種類に応じてレンズ２１の拡大率を調整出来る。
なお、図５のように水平方向に画像を縮小又は圧縮させるマイナスレンズ２２をレンズ２１の代わりに映像表示装置８０と飲料Ｌの間に配置しても良い。マイナスレンズ２２は水平方向の画像の拡大率が１倍未満の水平断面が凹型形状の平凹レンズ（又は両凹レンズ）であり飲料Ｌによる画像の水平方向の拡大を相殺するために用いられる。
なお、レンズ２１やマイナスレンズ２２は一枚だけでなく複数枚重ねても良いがその場合はピント調整の問題が大きくなるためピント調整用のレンズを別途一枚挿入しても良い。
【００１２】  図６に様々な形状の飲料用演出グラスの例を示す斜視図を示す。
図６（ａ）のように映像表示装置８０を固定する固定機構１４としてグラス本体１０の内部に格納部１９を備えても良い。この方式のメリットは映像表示装置８０が外側にないため乾杯操作時に飲料用演出グラス１を他のグラスに接触させても映像表示装置８０が破損することが無い点にある。
なお、飲料用演出グラス１の形状は通常のビールジョッキの形状だけでなく図６（ｂ）のように上部開口１１を塞ぐための蓋３０を備えるボトル形状でも良い。
【００１３】［飲料用演出グラスの第２の実施の形態］
以下、本発明の飲料用演出グラスの第２の実施の形態を図面を用いて示すが、上記第１の実施の形態の飲料用演出グラス１と同一の構成となる箇所については同一の符号を付してその説明を省略する。
本実施の形態では図７のように画像縦横比制御部２０としてレンズ２１の代わりにスクィーズ画像生成器２００を用いている。スクィーズ画像生成器２００は図８のように映像表示装置８０の画像８２のデータから水平方向に圧縮又は縮小したスクィーズ画像２０１をコンピュータ画像処理により生成する（つまり図７のスクィーズ画像生成器２００は上記第１の実施の形態で説明した図５のマイナスレンズ２２と全く同じ働きをする）。
スクィーズ画像２０１はオリジナルの画像８２を予め水平方向に縮小した画像のため図７のように飲料Ｌによる水平方向の画像の拡大を相殺することが出来る。
スクィーズ画像生成器２００は飲料用演出グラス１に取り付けられた専用ＩＣチップ内部に実装しても良いし、外部のサーバーコンピュータ内にソフトウェアとして実装しても良い。また、図７のように映像表示装置８０が携帯型通信装置３００の一部である場合はその携帯型通信装置３００に内蔵されているコンピュータソフトウェアとしてスクィーズ画像生成器２００を実装しても構わない。
なお、水平方向に圧縮したスクィーズ画像２０１を生成するアルゴリズムはＬＤ再生装置やＤＶＤ再生装置又はフォトレタッチソフトに内蔵の既知のアルゴリズムを用いれば良い。  図９に画像８２を水平方向（横方向）に圧縮処理してスクィーズ映像２０１を生成或は出力する際のコンピュータプログラムのフローチャートを示す。
ＳＴＥＰ１において水平方向に圧縮していないオリジナルの画像８２のデータを映像表示装置８０または携帯型通信装置３００のコンピュータのメモリからロードする。ＳＴＥＰ２において画像８２に対して水平方向（横方向）の圧縮処理を行いスクィーズ映像２０１を作成する。そしてＳＴＥＰ３においてそのスクィーズ映像２０１を映像表示装置８０又は携帯型通信装置３００へ出力する。
なお、図９に示したフローチャートのコンピュータプログラムはフラッシュメモリ、ＤＲＡＭ、磁気記憶媒体、光記憶媒体等の既知の記憶媒体に保存しても良い。また、携帯型通信装置３００内のメモリにアプリケーションソフトウェアの形態でインストール（保存）しても良い。
なお、画像８２を水平方向に圧縮したスクィーズ画像２０１を生成する際には図８のように必ず画像の左右に圧縮した分だけ余白２０２（英：ｐｉｌｌａｒ  ｂｏｘ）が生ずる。この余白２０２に他のスクィーズした画像を埋め込んでも良くこれを応用すれば２画面や３画面分の映像を飲料用演出グラス１を透過した画像として投影出来る。
【００１４】［遠隔地乾杯カウンターシステムの実施の形態］
以下、本発明の遠隔地乾杯カウンターシステムの実施の形態について説明する。上記各実施の形態の飲料用演出グラスと同一の構成となる箇所については同一の符号を付してその説明を省略する。
携帯電話やスマートフォン等の携帯型通信装置の殆どの機種は加速度センサーやカメラセンサーを内蔵している。加速度センサーは同センサーが内蔵されている物体の加速度に基づいて、物体の移動量、傾斜量、他物体への衝突の有無を取得出来る。カメラセンサーも画像解析により物体の移動量、傾斜量、他物体への衝突の有無を取得出来る。そこで本実施の形態の遠隔地乾杯カウンターシステムでは図１０に示すように本発明の飲料用演出グラス１と携帯型通信装置３００と外部のサーバーコンピュータ４００とユーザー操作検知部３０２とを備える。
携帯型通信装置３００のセンサー３０１からの信号を元にグラス本体１０に対するユーザー操作（他の飲料用グラス５００への衝突や傾斜操作等）をユーザー操作検知部３０２にて検知して遠隔地のサーバーコンピュータ４００等に送信する。図１０に示すように、遠隔地のサーバーコンピュータ４００が受信回数をカウントしてそれを乾杯操作累計数として記録して、閲覧や公開出来るようにする事により遠隔地乾杯カウンターシステムを得ることができる。
なお、ユーザー操作検知部３０２は飲料用演出グラス１に取り付けられた専用ＩＣチップ内部に実装しても良いし、外部のサーバーコンピュータや携帯型通信装置３００に実装しても構わない。
【産業上の利用可能性】
【００１５】  本発明は、映像表示装置を固定するための飲料用演出グラスであり、飲料用容器の内部の飲料のレンズ効果による水平方向への画像や映像の拡大による歪みを防止出来るためユーザーは飲料越しでも歪みの無い画像や映像を視認出来る。以上より本発明は産業上の利用可能性を有する。
【符号の説明】
【００１６】Ｌ  飲料（液体）
ＲＶ  曲率半径（垂直方向）
ＲＨ  曲率半径（水平方向）
Ｕ  ユーザー
ｄ  距離
１  飲料用演出グラス
２  飲料用演出グラス
１０  グラス本体
１１  上部開口
１２  取っ手
１３  湾曲部
１４  固定機構
１５  クランプ機構
１６  吸盤
１７  固定フレーム
１８  係止金具
１９  格納部
２０  画像縦横比制御部
２１  レンズ
２２  マイナスレンズ
２３  レンズ距離調整機構
３０  蓋
８０  映像表示装置
８１  映像表示面
８２  画像
８３  画像（レンズを透過した画像）
８４  画像（レンズと飲料を透過した画像）
８５  画像（飲料のみを透過した画像）
１００  飲料用容器
２００  スクィーズ画像生成器
２０１  スクィーズ画像
２０２  余白（ピラーボックス）
３００  携帯型通信装置
３０１  センサー（加速度センサー、カメラセンサー）
３０２  ユーザー操作検知部
４００  サーバーコンピュータ
【要約】
【課題】  本発明はグラス内の飲料越しに見る映像が水平方向のみに拡大して歪まないように映像の水平方向への歪みをキャンセルする機構を組み込んだ飲料用演出グラスを提供することを課題とする。前記飲料用演出グラスを用いた遠隔地乾杯カウンターシステムと前記飲料用演出グラスで用いる記憶媒体も提供することも課題とする。
【解決手段】  本発明の飲料用演出グラスは水平方向に湾曲した湾曲部と上部開口を有する有底の筒状体であるグラス本体と、  映像表示装置を前記グラス本体に固定する固定機構と、前記映像表示装置の画像の縦横比を変更する画像縦横比制御部とを備えることを特徴とする。
【選択図】図１【図１】
0006797447.tif 000002
【図２】
0006797447.tif 000003
【図３】
0006797447.tif 000004
【図４】
0006797447.tif 000005
【図５】
0006797447.tif 000006
【図６】
0006797447.tif 000007
【図７】
0006797447.tif 000008
【図８】
0006797447.tif 000009
【図９】
0006797447.tif 000010
【図１０】
0006797447.tif 000011